【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
ビデオ画像を伝送する方法であって、
高解像度映像ストリームを提供することと、
各画素が該画素の近傍に基づいて符号化される画像ドメイン圧縮方式を使用して前記映像ストリームを圧縮することと、
フェーディング伝送チャネルによって圧縮された映像ストリームを伝送することと、
からなる方法。
【請求項２】
前記高解像度映像ストリームを提供することは、少なくとも毎秒４５フレームを含むストリームを提供すること、からなる、請求項１に記載の方法。
【請求項３】
前記高解像度映像ストリームを提供することは、１００メガビット毎秒を超える非圧縮データ転送速度をもつストリームを提供すること、からなる、請求項１に記載の方法。
【請求項４】
前記高解像度映像ストリームを提供することは、０．６ギガビット毎秒を超える非圧縮データ転送速度をもつストリームを提供すること、からなる、請求項１に記載の方法。
【請求項５】
前記映像ストリームを圧縮することは、実質的なフレーム間の相互依存無しに圧縮すること、からなる、請求項１に記載の方法。
【請求項６】
前記映像ストリームを圧縮することは、各画素の値が５０より多くない近傍の画素に直接的に依存するように圧縮すること、からなる、請求項１に記載の方法。
【請求項７】
前記映像ストリームを圧縮することは、前記画素の少なくとも一部の値が非隣接画素値に依存するように圧縮すること、からなる、請求項１に記載の方法。
【請求項８】
前記映像ストリームを圧縮することは、任意の他の画素の値とは関係なく、前記画素の少なくとも一部を圧縮すること、からなる、請求項１に記載の方法。
【請求項９】
圧縮されたストリームを伝送することは、無線リンクで伝送することからなる、請求項１に記載の方法。
【請求項１０】
圧縮されたストリームを伝送することは、情報源・通信路結合符号化方式（ＪＳＣＣ）を使用して伝送することからなる、請求項１に記載の方法。
【請求項１１】
前記映像ストリームを圧縮することは、２０画素よりも小さい直径をもつ画素の近傍に基づいて各画素が符号化されるように圧縮すること、からなる、請求項１に記載の方法。
【請求項１２】
ビデオ画像を伝送する方法であって、
ビデオ画像を提供することと、
前記ビデオ画像を、前記画像の前記画素の所定の１組に対して、少なくとも１つの色成
分についての前記提供された画像からの有界の差分をもつ粗部に圧縮することと、
前記粗部と前記ビデオ画像との差分を精細部によって表現することと、
前記粗部と前記精細部の少なくとも一部をコンスタレーションのシンボルにマップする
ことと、
マップされたシンボルを受信機へ送信することと、からなる方法。
【請求項１３】
前記ビデオ画像を圧縮することは、前記粗部と前記提供された画像との前記差分が、前記画像の実質的に全ての前記画素について有界となるように圧縮すること、からなる、請求項１２に記載の方法。
【請求項１４】
前記ビデオ画像を圧縮することは、前記粗部と前記提供された画像との前記差分が、多くても１０個の異なる取りうる値をもつように有界となるように圧縮すること、からなる、請求項１２に記載の方法。
【請求項１５】
前記ビデオ画像を圧縮することは、前記粗部と前記提供された画像との前記差分が、多くても５個の異なる取りうる値をもつように有界となるように圧縮すること、からなる、請求項１２に記載の方法。
【請求項１６】
前記粗部と前記提供された画像との前記差分は、前記提供された画像の取りうる値の５％未満である最大値によって有界とされている、請求項１２に記載の方法。
【請求項１７】
前記ビデオ画像を圧縮することは、前記粗部と前記提供された画像との前記差分が、前記画像を表現する実質的に全ての前記色成分について有界となるように圧縮すること、からなる、請求項１２に記載の方法。
【請求項１８】
前記部分をマップすることは、前記粗部と前記精細部とを別々にシンボルへマップし、前記シンボルを互いに重畳すること、からなる、請求項１２に記載の方法。
【請求項１９】
前記部分をマップすることは、前記粗部の前記シンボルのコンスタレーションの前記シンボルの間の距離よりも小さい両端間の距離をもつコンスタレーションのシンボルに前記精細部をマップすること、からなる、請求項１８に記載の方法。
【請求項２０】
前記粗部は前方誤り訂正符号によって保護される一方で、前記精細部は前方誤り訂正符号による保護なしに伝送される、請求項１２に記載の方法。
【請求項２１】
前記精細部は符号化されずにシンボルにマップされる、請求項１２に記載の方法。
【請求項２２】
前記部分をマップすることは、離散的な数の取りうる値をもつコンスタレーションに前記精細部をマップすることからなる、請求項１２に記載の方法。
【請求項２３】
前記マップされたシンボルを伝送することは、ＭＩＭＯ（multi-input multi-output）リンクによって伝送すること、からなる、請求項１２に記載の方法。
【請求項２４】
前記粗部と前記ビデオ画像との前記差分は、それぞれ精細部より小さい側面間コンスタレーション・サイズをもつ複数の下位精細部から形成される精細部によって表現される、請求項１２に記載の方法。
【請求項２５】
前記粗部と前記精細部は、軽いフィルタリングにとどめて、カラー映像の非圧縮標準表現形式で前記ビデオ画像を一緒に表現する、請求項１２に記載の方法。
【請求項２６】
ビデオ画像を伝送する方法であって、
ビデオ画像を提供することと、
前記ビデオ画像を粗部に圧縮することと、
前記粗部と前記ビデオ画像との差分を精細部により表現することと、
前記粗部と、前記精細部の少なくとも一部とを、前記精細部が非圧縮のまま、コンスタレーションのシンボルにマップすることと、
マップされたシンボルを受信機へ送信することと、からなる方法。
【請求項２７】
前記ビデオ画像を圧縮することは、前記粗部と前記提供された画像との前記差分が、前記画像の実質的に全ての前記画素について有界となるように圧縮すること、からなる、請求項２６に記載の方法。
【請求項２８】
前記部分をマップすることは、前記粗部と前記精細部とを別々にシンボルへマップし、前記シンボルを互いに重畳すること、からなる、請求項２６に記載の方法。
【請求項２９】
前記部分をマップすることは、前記粗部の前記シンボルのコンスタレーションの前記シンボルの間の距離よりも小さい両端間の距離をもつコンスタレーションのシンボルに前記精細部をマップすること、からなる、請求項２８に記載の方法。
【請求項３０】
前記マップされたシンボルを伝送することは、ＭＩＭＯ（multi-input multi-output）リンクによって伝送すること、からなる、請求項２６に記載の方法。
【請求項３１】
精細部によって前記差分を表現することは、前記粗部と前記提供された画像との差分を各画素について決定することからなり、前記精細部の各値は前記画像の多くても１００画素と相関している、請求項２６に記載の方法。
【請求項３２】
精細部によって前記差分を表現することは、前記粗部と前記提供された画像との差分を各画素について決定することからなり、前記精細部の各値は前記画像の多くても１０画素と相関している、請求項２６に記載の方法。
【請求項３３】
精細部によって前記差分を表現することは、前記粗部と前記提供された画像との差分を各画素について決定することからなり、前記精細部の各値は前記画像上の１点における前記粗部と前記提供された画像との差分によって表現される、請求項２６に記載の方法。
【請求項３４】
前記精細部の各値は、画素と一致する前記画像上の１点における前記粗部と前記提供された画像との差分によって表現される、請求項３３に記載の方法。
【請求項３５】
前記精細部の少なくとも１つの値が、２つ以上の隣接点に対して補間された前記画像上の１点における、前記粗部と前記提供された画像との差分を表現する、請求項３３に記載の方法。
【請求項３６】
前記部分をマップすることは、前記画像上の特定の点に対する前記粗部と前記提供された画像との前記差分の前記取りうる値の各々に対するビンをもつコンスタレーションに前記精細部をマップすることからなる、請求項２６に記載の方法。
【請求項３７】
前記精細部は符号化されずにマップされる、請求項２６に記載の方法。
【請求項３８】
前記精細部は非画像ドメインへの変換を行うことなくマップされる、請求項２６に記載の方法。
【請求項３９】
前記粗部は前方誤り訂正符号によって保護される一方で、前記精細部は前方誤り訂正符号による保護なしに伝送される、請求項２６に記載の方法。
【請求項４０】
前記部分をマップすることは、離散的な数の取りうる値をもつコンスタレーションに前記精細部をマップすることからなる、請求項２６に記載の方法。
【請求項４１】
前記部分をマップすることは、その値がノイズによって正常に劣化するコンスタレーションに前記精細部をマップすることからなる、請求項２６に記載の方法。
【請求項４２】
ビデオ画像を伝送する方法であって、
ビデオ画像を提供することと、
第１の１画素あたりの平均ビット数をもつ粗部に前記ビデオ画像を圧縮することと、
前記粗部と前記ビデオ画像との前記差分を、前記第１の平均ビット数よりも大きな１画素あたりのビット数を表現のために必要とする平均等価ビットレートをもつ精細部によって表現することと、
前記粗部および精細部をコンスタレーションのシンボルにマップすることと、
マップされたシンボルを受信機へ送信することと、からなる方法。
【請求項４３】
前記精細部はビット列によっては表現されない、請求項４２に記載の方法。
【請求項４４】
前記精細部は各シンボルに対して所定の数の値をもつ、請求項４２に記載の方法。
【請求項４５】
前記ビデオ画像を圧縮することは、前記粗部と前記提供された画像との前記差分が、多くても１０個の異なる取りうる値をもつように有界となる、ように圧縮すること、からなる、請求項４２に記載の方法。
【請求項４６】
前記部分をマップすることは、前記粗部と前記精細部とを別々にシンボルへマップし、前記シンボルを互いに重畳すること、からなる、請求項４２に記載の方法。
【請求項４７】
精細部によって前記差分を表現することは、前記粗部と前記提供された画像との差分を各画素について決定することからなり、前記精細部の各値は前記画像の多くても１０画素と関係している、請求項４２に記載の方法。
【請求項４８】
前記粗部は前方誤り訂正符号によって保護される一方で、前記精細部は前方誤り訂正符号による保護なしに伝送される、請求項４２に記載の方法。
【請求項４９】
前記精細部の前記平均等価ビットレートは、表現のために前記第１の平均ビット数の少なくとも２倍のビット数を必要とする、請求項４２に記載の方法。
【請求項５０】
ビデオ画像を伝送する方法であって、
ビデオ画像を提供することと、
１５：１よりも小さい圧縮比を達成する準可逆圧縮方式を使用して、粗部に前記ビデオ画像を圧縮することと、
前記粗部と前記ビデオ画像との差分を精細部による表現することと、
前記粗部および精細部をコンスタレーションのシンボルにマップすることと、
マップされたシンボルを受信機へ送信することと、からなる方法。
【請求項５１】
前記部分をマップすることは、前記粗部と前記精細部とを別々にシンボルへマップし、前記シンボルを互いに重畳すること、からなる、請求項５０に記載の方法。
【請求項５２】
前記部分をマップすることは、前記粗部の前記シンボルのコンスタレーションの前記シンボルの間の距離よりも小さい両端間の距離をもつコンスタレーションのシンボルに前記精細部をマップすること、からなる、請求項５１に記載の方法。
【請求項５３】
前記ビデオ画像を圧縮することは、８：１よりも小さな圧縮比で圧縮すること、からなる、請求項５０に記載の方法。
【請求項５４】
前記ビデオ画像を圧縮することは、１２：１よりも小さな圧縮比で圧縮すること、からなる、請求項５０に記載の方法。
【請求項５５】
データを送信する方法であって、
ノイズによって正常に劣化するデータを少なくとも部分的に含む複数のストリームを生成することと、
ＭＩＭＯ送信機によって複数のストリームを並列に送信することと、
ＭＩＭＯ受信機によって前記複数のストリームを受信することと、からなる方法。
【請求項５６】
前記ＭＩＭＯ受信機によって前記複数のシンボル・ストリームを復号化することからなる、請求項５５に記載の方法。
【請求項５７】
前記ＭＩＭＯ受信機は前記ストリームを復号化するために空間ウィナーフィルタを使用する、請求項５６に記載の方法。
【請求項５８】
前記ストリームはアナログストリームを含む、請求項５５に記載の方法。
【請求項５９】
前記ストリームは、連続的なアナログ範囲に従うデータの表現を少なくとも部分的に含むシンボル・ストリームを含む、請求項５５に記載の方法。
【請求項６０】
前記ストリームは、より近接したビンがより近接した値をもつコンスタレーションから、少なくとも部分的に選択されたシンボル・ストリームを含む、請求項５５に記載の方法。
【請求項６１】
前記ストリームは、粗部と精細部との重複を表現するシンボル・ストリームを含む、請求項５５に記載の方法。
【請求項６２】
データを受信する方法であって、
送信されたＭＩＭＯ信号を、単に前記信号の伝送に使用されるだけではない少なくとも１つのアンテナを含む、複数のアンテナを使用して受信することと、
前記受信アンテナの少なくとも１つの前記信号から、前記信号を受信するリンクのノイズレベルを決定することと、
ノイズレベルが許容レベルを越えたと判断されると、伝送パラメータを変更するように送信機に指示することと、からなる方法。
【請求項６３】
前記受信した信号を用いて復号化することからなる、請求項６２に記載の方法。